【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
自動温度敏感製品保冷ユニットにおいて、
(a)     ハウジングであって、前記ハウジング内に保存した温度敏感製品の装荷及び／又は取り出しを促進する少なくとも１個の製品アクセスパネルを有し、
(i)   装荷ゾーンであって、前記アクセスパネル経由でアクセス可能であるとともに、それぞれが温度敏感製品を保持し得る１個又は複数個の製品を収容するよう構成した、該装荷ゾーン；
(ii)  独立的にアドレス可能な複数個の保存ベイを有する保存領域フレームワークであって、前記保存ベイそれぞれは、１個又は複数個の温度敏感製品又は製品キャリヤを保存するよう構成した、該保存領域フレームワーク；
(iii) アクセス可能であり、温度制御した少なくとも１つの保冷ゾーンであって、前記保存領域フレームワークにおける前記独立的にアドレス可能な複数個の保存ベイの少なくとも一部を包囲する容積を区切り、少なくとも１個の温度センサを有する、該保冷ゾーン；及び
(iv)  温度敏感製品又は製品キャリヤを前記ハウジング内に移送するロボット
をさらに有する、該ハウジングと；
(b)     前記保冷ゾーンに動作可能に接続した冷蔵ユニットと；
(c)     前記保冷ユニットの動作を制御するよう構成したコンピュータと；
を備える、自動温度敏感製品保冷ユニット。
【請求項２】
請求項１記載の自動温度敏感製品保冷ユニットにおいて、前記装荷ゾーンの直近の複数個の独立的にアドレス可能な保存ベイの一部は、一時的な製品保存に割り当てられる、自動温度敏感製品保冷ユニット。
【請求項３】
請求項１記載の自動温度敏感製品保冷ユニットにおいて、前記ユニット内に装荷した製品は、前記装荷ゾーンの直近の独立的にアドレス可能な保存ベイにまず保存され、その後、前記装荷ゾーンからさらに独立的にアドレス可能な保存ベイに移動される、自動温度敏感製品保冷ユニット。
【請求項４】
請求項１記載の自動温度敏感製品保冷ユニットにおいて、独立的にアドレス可能な前記保存ベイは、ベイの場所によって識別される製品で装填容量まで装填可能であり、随意的に、独立的にアドレス可能な第１の保存ベイに保存された製品は、製品の装荷及び／又は分配を最適化するために独立的にアドレス可能な第２の保存ベイに再配置される、自動温度敏感製品保冷ユニット。
【請求項５】
請求項１記載の自動温度敏感製品保冷ユニットにおいて、
(a)     前記保冷ユニットに対して装荷又は取り出す温度敏感製品を識別する、随意的にバーコードリーダである、リーダを備え；及び／又は
(b)     複数個の独立的にアドレス可能な保存ベイに配置された複数個の製品キャリヤをさらに備え、随意的に、前記保存ベイそれぞれは、少なくとも１個の空又は装荷済みの製品キャリヤを含み；及び／又は
(c)     前記装荷ゾーンは、前記アクセスパネルに対して移動できるカルーセルを有し、随意的に、(A)温度敏感製品を装荷できる空のキャリヤを準備し、又は(B)温度敏感製品を保持した前記キャリヤから温度敏感製品を取り出すことを可能にし、随意的に、前記カルーセルは、前記保存領域フレームワークの、随意的に円筒形アレイの、頂部におけるベース上で回転し、保存場所への移送のために、１個又は複数個の空の製品キャリヤを前記装荷ゾーン内で、又は温度敏感製品を装填した１個又は複数個の製品キャリヤを前記ユニット内で位置決めし、随意的に、製品キャリヤ内の製品の存在は、前記カルーセルの外周縁の外側に位置する光ビーム発生器及び前記カルーセルの内部部分の外側に位置する検出器によって検出し；及び／又は
(d)     前記保存領域フレームワークは、中空の中心コアと、複数個の積層したレベルとを有する円筒形アレイとし、前記円筒形アレイそれぞれは、中空の前記円筒形アレイの周縁周りに配置した１個又は複数個の独立的にアドレス可能な保存ベイを有し、前記保存ベイに対して前記ロボットが前記中空の中心コアを経てアクセスすることができ、前記円筒形アレイは、前記複数個の保存ベイを形成するよう互いに離間したほぼ平行な一連の垂直部材を随意的に有するとともに、前記複数個の保存ベイを形成するよう互いに離間したほぼ平行な一連の水平部材を随意的に有し、前記複数個の保存ベイそれぞれは、保存すべき温度敏感製品又は製品キャリヤを収容するよう構成し；及び／又は
(e)     前記複数個の独立的にアドレス可能な保存ベイそれぞれは、前記ロボットのアクセスを可能として、温度敏感製品又は製品キャリヤの挿入及び取出しができる開放端部を有する、随意的に矩形チャンバである、チャンバを画定し、各保存ベイは、随意的に、互いに離間してほぼ平行な一連の垂直部材及び互いに離間してほぼ平行な一連の水平部材を有し、前記垂直部材は、１個又は複数個の製品キャリヤに係合して懸架する隆起部を有するものとし；及び／又は
(f)     前記ロボットはＲ,Θ,Ｚガントリーロボットとし、随意的に、Ｒ,Θ,Ｚガントリーロボットは、円筒形アレイ化した保存領域フレームワークの中空コアの中心に配置し、前記ロボットは随意的に１対のロボットアームを有し、これらロボットアームは、前記ガントリーロボットのＺ軸を画定する中心シャフトに沿って垂直方向に移動でき、また前記保存領域フレームワークに対して回転して温度敏感製品又は製品キャリヤを前記装荷ゾーン及び／又は異なる保存ベイに対して取出し又は送給を行うことができ、また随意的に、前記ロボットは、１８０°の角度互いに離れて対向する２個のアームを有し、これらアームそれぞれは、矩形のスリーブケーシング内に位置して、前記製品キャリヤに係合した後に製品キャリヤに係合して前記アームのスリーブケーシング内に移動させるよう構成したアダプタを有する中心ロッドを有し、随意的に、前記ロッドそれぞれは、前記コンピュータと通信して前記中心ロッドの水平方向及び垂直方向の移動を制御することでアダプタ−キャリヤ間の係合を案内する、随意的に光ビーム発生器及び反射光検出器を有する、センサを有し；及び／又は
(g)     少なくとも２個の積層し、アクセス可能であり、断熱し、また温度制御した保冷ゾーンを備え、前記保冷ゾーンそれぞれは、少なくとも１個の温度センサを備え、また前記保存領域フレームワークにおける前記複数個の保存ベイの一部であり、他の保冷ゾーンとは別個の部分を包囲する容積を区切り、任意な２つの互いに隣接する保冷ゾーンを、随意的に、キー溝シール及びキー溝プラグによって連結し、これらキー溝シール及びキー溝プラグにより隣接する保冷ゾーン間で物理的及び熱的に分離し、かつアクセスを行うことができ、随意的に、前記キー溝プラグは、前記断熱層内のキー溝シールに着座して前記２つの互いに隣接する保冷ゾーン間に断熱バリアを形成するディスクを有し、また前記ロボットがＲ,Θ,Ｚガントリーロボットであるとき前記ガントリーロボットのアームと一緒に自由に回転するものとし；及び／又は
(h)     独立的にアドレス可能な前記保存ベイそれぞれは、(A)温度敏感製品を保持し、また(B)前記ハウジング内で移動するために前記ロボットが係合し得る製品キャリヤを収容する構成とし；及び／又は
(i)     アクセス可能であり、断熱し、また温度制御した保冷ゾーンは約１℃〜約１２℃、及び／又は約−１００℃〜約０℃の範囲における温度を有し；及び／又は
(j)     前記保冷ユニットは、主電源を有し、また随意的に、バックアップ電源を有し、前記バックアップ電源は、随意的に１個又は複数個のバッテリを有し；及び／又は
(k)     前記保冷ユニットは、さらに、前記保冷ユニットに対する内部アクセスを制御するよう随意的に動作するセキュリティ・インタフェースを備え、このようなアクセス制御は、随意的に、ログインコード照合及び／又は生体認証センサスキャンを有するものとし；及び／又は
(m)     前記アクセスパネルは、前記装荷ゾーンの上方に位置する１対の摺動ドアを有し、これら１対の摺動ドアは、随意的に、前記装荷ゾーン上方の中心ポイントから摺動して分離するものとし；及び／又は
(n)     前記製品キャリヤのうち少なくとも幾つかのそれぞれは、ロボットアームのアダプタが釈放可能に係合して連結するよう構成したラッチを有するものとし；及び／又は
(o)     前記製品キャリヤのうち少なくとも幾つかは、光ビームが入射及び／又は反射して、当該製品キャリヤが内部に保存される温度敏感製品を有しているか否かを評価できるようにする少なくとも１個の開口を有するものとし；及び／又は
(p)     各保冷ゾーンの温度は、１個又は複数個の温度センサによってモニタリングし、前記温度センサからの温度データは、前記コンピュータに関連するメモリに記憶し；及び／又は
(q)     前記保冷ゾーンの温度は、前記保冷ユニットのユーザーが視認可能な表示パネル上に表示し；及び／又は
(r)     前記コンピュータ及びアプリケーション・サービス・プロバイダ（ＡＳＰ）と通信する、随意的に前記保冷ユニットとドッキングするタブレットコンピュータデバイスである、ユーザー・インタフェースデバイス（ＵＩＤ）を備え、前記ＵＩＤが前記タブレットコンピュータデバイスである場合に、前記タブレットコンピュータデバイスは、随意的に、(A)情報を表示、入力及び／又は情報にアクセスするタッチスクリーン、及び(B)ローカル・インターネットルータ又は前記保冷ユニットに内蔵した携帯電話カードを使用するインターネット接続部を備え、また、(A)前記ＵＩＤは、随意的に、前記保冷ユニットの情報及び前記保冷ユニットの内容物を示すホーム画面を表示するよう構成し、前記ホーム画面に表示された情報は、随意的に、名前、用量、数量、及び／又は前記保冷ユニットに保存した温度敏感製品の使用期限；前記保冷ゾーンの現在温度；警報状況；及び／又は前記保冷ユニットでの保存用に発注した追加温度敏感製品の発注状態のうちの１つ以上を含み、及び／又は、(B)前記ＵＩＤ上で選択することにより、特別に表示した前記温度敏感製品に関する他の情報をＵＩＤ上に表示し、このような他の情報としては、保存ベイ、保冷ゾーン、及び／又は温度ゾーンによって保存されるこのような温度敏感製品の個別ユニットの場所；温度履歴；ロット番号；使用期限；及び／又は前記温度敏感製品に関する追加情報へのインターネットリンクのうちの少なくとも１つを含み；及び／又は
(s)     前記保冷ユニット及びその内容物及び／又は動作に関する情報へのアクセスをユーザーに与えるタッチスクリーンインタフェースを備える、
自動温度敏感製品保冷ユニット。
【請求項６】
請求項１記載の自動温度敏感製品保冷ユニットにおいて、複数個の独立的にアドレス可能な保存ベイに保存した複数個の温度敏感製品をさらに備える、自動温度敏感製品保冷ユニット。
【請求項７】
請求項６記載の自動温度敏感製品保冷ユニットにおいて、前記複数の温度敏感製品は、複数タイプの温度敏感製品を有する、自動温度敏感製品保冷ユニット。
【請求項８】
請求項６記載の自動温度敏感製品保冷ユニットにおいて、前記複数個の独立的にアドレス可能な保存ベイそれぞれは、少なくとも１個の温度敏感製品を含む、自動温度敏感製品保冷ユニット。
【請求項９】
温度敏感製品のための自動管理システムにおいて、
(i)     アプリケーション・サービス・プロバイダ（ＡＳＰ）と通信する請求項１記載の自動温度敏感製品保冷ユニットと；
(ii)    前記保冷ユニット並びに／又はＡＳＰが前記保冷ユニット及びこの保冷ユニットに保存した温度敏感製品に関するデータをキャプチャ及び記憶するデータ収集システムと；を備え、
在庫管理は、随意的に、
(a)     前記保冷ユニット内に保存した温度敏感製品の在庫の追跡；及び／又は
(b)     前記保冷ユニットにおける温度敏感製品の分配及び備蓄トランザクションの追跡；及び／又は
(c)     前記保冷ユニット内に保存した個別の温度敏感製品の有効期限の追跡；及び／又は
(d)     温度敏感製品が枯渇するときの再発注メッセージの自動送信；及び／又は
(e)     期限切れ製品及び／又は期限間近メッセージの自動送信；及び／又は
(f)     請求書作成情報の生成；及び／又は
(g)     前記保冷ユニット内に保存した又は保存すべき温度敏感製品に含まれる温度敏感製品に関する製品情報及び／又は規制情報の提供
のうちの少なくとも１つを含む、自動管理システム。
【請求項１０】
請求項９記載の自動管理システムにおいて、それぞれがＡＳＰと通信する、請求項１記載の複数個の自動温度敏感製品保冷ユニットを備える、自動管理システム。
【請求項１１】
請求項９記載の自動管理システムにおいて、ＡＳＰは、在庫管理、システム管理、警報及び報告からなるグループから選択された少なくとも１つのサービスを提供するクラウドベースのホスト環境である、自動管理システム。
【請求項１２】
請求項１１記載の自動管理システムにおいて、システム管理は、
(a)     保冷ユニット場所情報のモニタリング；及び／又は
(b)     前記保冷ユニットの物理的状態に関連した、機能、電力、温度、及び／又は温度センサデータを含む情報のモニタリング；及び／又は
(c)     保冷ユニットのコンピュータ、ＵＩＤ、ＡＳＰ、及び携帯電話カードアプリケーション間における通信の維持；及び／又は
(d)     前記保冷ユニット及びＡＳＰに対する随意的な安全性が高いアクセスの維持；及び／又は
(e)     ユニットメンテナンスの容易化
のうちの１つ又は複数を含む、自動管理システム。
【請求項１３】
請求項１１記載の自動管理システムにおいて、警報発生は、プリセット閾値を超える保冷ゾーン温度逸脱、枯渇又はプリセット下限に達する特定タイプの温度敏感製品の在庫、期限切れした又はプリセット日数以内に期限切れする温度敏感製品、発生した前記ユニットの機械的又はロボットの故障、及び前記保冷ユニットに対する停電からなるグループから選択される１つ又は複数のイベントに関連する警報メッセージの、前記ユニット及び／又は１つ又は複数の予め選択した受取先及び／又はＵＩＤに対する送信を含む、自動管理システム。
【請求項１４】
請求項１１記載の自動管理システムにおいて、レポート報告は、認定ユーザーに前記保冷ユニットの状態、製品情報、規制要件、又は在庫管理に関する情報及びレポートに対してアクセスさせることを含み、前記アクセスは、安全性が高いウェブサイトを介して行い、また随意的にユーザープロファイルに基づいてカスタマイズ可能とする、自動管理システム。